(57)【要約】【課題】取付作業の容易性を向上させることが可能な取付具を提供する。【解決手段】取付具１０６は、第１部材としての取付台１０３に固定され、ねじ穴部１５４を有する第１板部１５１を含む第１金具１５０と、第２部材としての枠体１２１に固定され、貫通穴１６１ｂを有する第２板部１６１を含む第２金具１６０とを備える。また、取付具１０６は、取付方向とは異なる方向を軸方向として、貫通穴１６１ｂを貫通し、ねじ穴部１５４に係合可能なねじ１７０を備える。ねじ１７０の先端部１７０ｂは、曲面を含む。第１板部１５１は、ねじ穴部１５４のねじ挿入口１５４ａが設けられている開口面１５１ａと、開口面１５１ａと連続する湾曲面１５３ａとを有する。湾曲面１５３ａは、取付方向に沿って、第２部材を取り付けるときにねじ１７０の先端部１７０ｂと当接する鉛直方向の下方側から、開口面１５１ａと連続する鉛直方向の上方側まで徐々に高くなる形状を有する。【選択図】図３
2020187914.tif 000002
【特許請求の範囲】
【請求項１】
鉛直方向とは交差する方向を取付方向として第１部材に第２部材を取り付ける取付具であって、
前記第１部材に固定され、ねじ穴部を有する第１板部を含む第１金具と、
前記第２部材に固定され、貫通穴を有する第２板部を含む第２金具と、
前記取付方向とは異なる方向を軸方向として、前記貫通穴を貫通し、前記ねじ穴部に係合可能なねじと、
を備え、
前記ねじの先端部は、曲面を含み、
前記第１板部は、前記ねじ穴部のねじ挿入口が設けられている開口面と、当該開口面と連続する湾曲面とを有し、
前記湾曲面は、前記取付方向に沿って、前記第２部材を取り付けるときに前記ねじの前記先端部と当接する鉛直方向の下方側から、前記開口面と連続する鉛直方向の上方側まで徐々に高くなる形状を有する、取付具。
【請求項２】
前記ねじ穴部に形成されているねじ穴の径は、前記開口面に近い方から遠い方に向かって徐々に小さくなり、
前記ねじ穴の最も小さい径は、前記ねじの径に適合する、請求項１に記載の取付具。
【請求項３】
鉛直方向とは交差する方向を取付方向として第１部材に第２部材を取り付ける取付具であって、
前記第１部材に固定され、ねじ穴部を有する第１板部を含む第１金具と、
前記第２部材に固定され、貫通穴を有する第２板部を含む第２金具と、
前記取付方向とは異なる方向を軸方向として、前記貫通穴を貫通し、前記ねじ穴部に係合可能なねじと、
を備え、
前記第１板部は、前記ねじ穴部のねじ挿入口が設けられている開口面と、当該開口面と連続する湾曲面とを有し、
前記湾曲面は、前記取付方向に沿って、前記第２部材を取り付けるときに前記ねじの前記先端部と当接する鉛直方向の下方側から、前記開口面と連続する鉛直方向の上方側まで徐々に高くなる形状を有し、
前記ねじ穴部に形成されているねじ穴の径は、前記開口面に近い方から遠い方に向かって徐々に小さくなり、
前記ねじ穴の最も小さい径は、前記ねじの径に適合する、取付具。
【請求項４】
前記ねじの先端部は、曲面を含む、請求項３に記載の取付具。
【請求項５】
前記第２金具は、前記貫通穴からの前記ねじの突出側に、前記貫通穴と同軸で、かつ、前記ねじを貫通可能とする円筒部材を有する、請求項１乃至４のいずれか１項に記載の取付具。
【請求項６】
前記第２部材の外壁は、前記貫通穴と同軸状に、前記ねじの全体を挿入可能とする挿入穴を有し、
前記第２部材の前記外壁と前記第２板部との間隔は、前記ねじの頭部の長さよりも広い、請求項１乃至５のいずれか１項に記載の取付具。
【請求項７】
前記ねじは、前記第１部材に前記第２部材が取り付けられているときに前記第１板部と前記第２板部との間に位置する部分に、前記貫通穴からの脱落を抑止するストッパーリングを備える、請求項１乃至６のいずれか１項に記載の取付具。
【請求項８】
光源と、
前記光源を支持する取付台と、
前記光源から発せられた光を外部に透過させる透光カバーと、
前記透光カバーを保持する枠体と、
前記取付台である第１部材に、前記枠体である第２部材を取り付ける請求項１乃至７のいずれか１項に記載の取付具と、
を備える、照明器具。
【発明の詳細な説明】
【技術分野】
【０００１】
本開示は、取付具及びそれを用いた照明器具に関する。
【背景技術】
【０００２】
従来、例えば照明器具において、一方の部材である第１部材に、他方の部材である第２部材を取り付けるための取付具がある。特許文献１は、器具本体に含まれる第１部材としての取付台に、透光カバーを保持した第２部材としての枠を取り付けるための取り付け機構を備えた照明器具を開示している。
【０００３】
特許文献１に開示されている取り付け機構は、複数の取付用のねじを備える。そして、ねじの軸方向は、取付台への枠の取付方向と一致している。したがって、作業者は、複数のねじが予め枠に支持されている状態でも、照明器具の設置方向に関わらず、比較的容易に取付台に枠を嵌め込んだ後、それぞれのねじを締結することで、取付台に枠を取り付けることができる。
【先行技術文献】
【特許文献】
【０００４】
【特許文献１】特開平８−１４８０１７号公報
【発明の概要】
【発明が解決しようとする課題】
【０００５】
ここで、特許文献１に開示されている取り付け機構とは異なり、例えば、取付台への枠の取付方向が水平方向に沿っており、一方、ねじの軸方向が鉛直方向に沿っているように、それぞれの方向が異なる場合もあり得る。特に、枠の上板側に複数のねじが支持され、かつ、それらのねじが係合するねじ穴を有する取付台側の金具が、照明器具を設置する壁面側から突出していると想定する。このとき、枠の上板側にあるそれぞれのねじは、自重により、各々に対応した上板側の貫通穴に頭部が引っ掛かった状態で吊られている。そのため、作業者が、この状態を維持したまま水平方向に沿って枠を取付台に嵌め込もうとすると、枠の上板側のねじが取付台側の金具に干渉し、それらのねじを金具のねじ穴に合わせることができない。このようなねじと金具との干渉を回避するために、例えば、作業者が、枠の上板側のねじを上方に一旦持ち上げながら枠を取付台に嵌め込むことが考えられるが、枠の上板側のねじの設置数が多い場合などには困難を伴う。
【０００６】
本開示は、このような従来技術の有する課題に鑑みてなされたものである。そして、本開示の目的は、取付作業の容易性を向上させることが可能な取付具及びそれを用いた照明器具を提供することにある。
【課題を解決するための手段】
【０００７】
上記課題を解決するために、本開示の第１の態様は、鉛直方向とは交差する方向を取付方向として第１部材に第２部材を取り付ける取付具であって、第１部材に固定され、ねじ穴部を有する第１板部を含む第１金具と、第２部材に固定され、貫通穴を有する第２板部を含む第２金具と、取付方向とは異なる方向を軸方向として、貫通穴を貫通し、ねじ穴部に係合可能なねじと、を備え、ねじの先端部は、曲面を含み、第１板部は、ねじ穴部のねじ挿入口が設けられている開口面と、当該開口面と連続する湾曲面とを有し、湾曲面は、取付方向に沿って、第２部材を取り付けるときにねじの先端部と当接する鉛直方向の下方側から、開口面と連続する鉛直方向の上方側まで徐々に高くなる形状を有する。
【０００８】
本開示の第２の態様は、鉛直方向とは交差する方向を取付方向として第１部材に第２部材を取り付ける取付具であって、第１部材に固定され、ねじ穴部を有する第１板部を含む第１金具と、第２部材に固定され、貫通穴を有する第２板部を含む第２金具と、取付方向とは異なる方向を軸方向として、貫通穴を貫通し、ねじ穴部に係合可能なねじと、を備え、第１板部は、ねじ穴部のねじ挿入口が設けられている開口面と、当該開口面と連続する湾曲面とを有し、湾曲面は、取付方向に沿って、第２部材を取り付けるときにねじの先端部と当接する鉛直方向の下方側から、開口面と連続する鉛直方向の上方側まで徐々に高くなる形状を有し、ねじ穴部に形成されているねじ穴の径は、開口面に近い方から遠い方に向かって徐々に小さくなり、ねじ穴の最も小さい径は、ねじの径に適合する。
【０００９】
また、本開示の態様に係る照明器具は、光源と、光源を支持する取付台と、光源から発せられた光を外部に透過させる透光カバーと、透光カバーを保持する枠体と、取付台である第１部材に、枠体である第２部材を取り付ける上記の取付具と、を備える。
【発明の効果】
【００１０】
本開示によれば、取付作業の容易性を向上させることが可能な取付具及びそれを用いた照明器具を提供することができる。
【図面の簡単な説明】
【００１１】
【図１】本開示の一実施形態に係る照明器具の外観を示す斜視図である。
【図２】図１のＩＩ−ＩＩ断面図である。
【図３】本開示の一実施形態に係る取付具を含む図１のＩＩＩ部拡大図である。
【図４】一実施形態に係る取付具の取付作業時の状態を示す一部側面図である。
【図５】一実施形態に係る取付具の取付作業時の状態を示す一部側面図である。
【図６】本開示の他の実施形態に係る取付具を示す含む拡大断面図である。
【発明を実施するための形態】
【００１２】
以下、各実施形態について図面を参照しつつ詳細に説明する。以下の説明では、鉛直方向をＺ方向と規定する。また、Ｚ方向に対して垂直となる平面内で互いに垂直となる２方向をＸ方向及びＹ方向と規定する。この場合、ＸＹ平面は水平面である。
【００１３】
図１は、一実施形態に係る照明器具１００の外観を示す斜視図である。図２は、図１に示すＩＩ−ＩＩ断面で切断した、照明器具１００の内部構造を示す断面図である。図１におけるＩＩ−ＩＩ断面の切断位置は、本実施形態に係る取付具１０６に含まれるねじ１７０の全体を挿入可能とする複数の挿入穴１３０ｃのうちの１つの位置に合わせている。
【００１４】
照明器具１００は、例えば、建物の外壁や室内の内壁に設置される。図１では、不図示であるが、ＹＺ平面に沿って設置場所としての壁面２００（図２参照）が存在し、壁面２００に対して照明器具１００が設置されているものと想定している。図２では、照明器具１００が壁面２００に対して設置されている状態を示している。
【００１５】
照明器具１００は、光の射出領域に合わせて一方向を長手方向とした全体として細長い形状を有する。本実施形態では、照明器具１００は、長手方向がＹ方向に沿うように壁面２００に対して設置される、すなわち、壁面２００に対して横付けされるものとする。また、照明器具１００では、光の射出領域は、Ｘ方向で壁面２００とは反対側に向かう正面領域と、Ｚ方向で上方と下方とに均等に向かう上下領域とを含む。つまり、照明器具１００は、壁面２００に設置されている状態では、光源１１０を通る１つのＸＹ平面を基準として上下対称形となっている。
【００１６】
照明器具１００は、光源部１０２と、取付台１０３と、カバー部１０４と、電源１０５と、取付具１０６とを備える。
【００１７】
光源部１０２は、光の照射に関連した要素を含むユニットである。光源部１０２は、光源１１０と、ソケット１１１と、ソケット台１１２と、反射板１１３とを含む。光源１１０は、例えば、直管形のＬＥＤ（発光ダイオード）ランプである。ソケット１１１は、光源１１０を保持する。光源１１０が直管ＬＥＤランプである場合には、光源１１０の一方の端部を保持する給電側ソケットと、光源１１０の他方の端部を保持する接地側ソケットとの２つのソケット１１１が存在する。ソケット台１１２は、ソケット１１１を支持する金具である。反射板１１３は、光源１１０から発せられた光を、射出領域を形成する透光カバー１２０に向かうように反射させる金具である。反射板１１３は、表面にホワイト塗装が施され、固定ボルト１１４によりソケット台１１２に固定されてもよい。
【００１８】
取付台１０３は、光源部１０２を支持するとともに、カバー部１０４を着脱可能に支持する。取付台１０３は、例えば、金属板を加工することで形成された筐体である。取付台１０３は、壁面２００に対向する裏面板１０３ｂとは反対側に正面板１０３ａを有する。光源部１０２は、例えば、ソケット台１１２の一部を正面板１０３ａに溶接することで、取付台１０３上に固定される。取付台１０３に対するカバー部１０４の取り付けについては、以下の取付具１０６の説明と併せて詳説する。
【００１９】
また、取付台１０３は、照明器具１００の設置に際して壁面２００に取り付けられる。ここで、壁面２００には、予め、照明器具設置用の複数の取付ボルト２０２が固定されている。これに対して、取付台１０３の正面板１０３ａは、取付ボルト２０２を貫通可能とする複数の貫通穴１０３ｃを有する。一方、取付台１０３の裏面板１０３ｂは、中心領域の大部分を開口部１０３ｄとする枠板である。裏面板１０３ｂの壁面２００に対向する面には、弾性体として例えばシリコン系のスポンジゴムで形成された全周パッキン１０７が接着されている。壁面２００に取付台１０３を取り付けるときには、作業者は、まず、貫通穴１０３ｃに取付ボルト２０２を貫通させながら取付台１０３を壁面２００に接近させて、全周パッキン１０７を介して取付台１０３を壁面２００に押し付ける。次に、作業者は、貫通穴１０３ｃから突出している取付ボルト２０２にワッシャー２０４を介して取付ナット２０６を締結させることで、壁面２００に取付台１０３を固定することができる。
【００２０】
なお、取付台１０３は、取付ボルト２０２に対する取付ナット２０６の締め付けに取付台１０３が耐え得るように、貫通穴１０３ｃの形成位置に合わせた板部と、正面板１０３ａから裏面板１０３ｂに向かって延伸する側板部とを含む補強板１０８を備えてもよい。また、不図示であるが、正面板１０３ａは、電源１０５から裏面板１０３ｂに向けて口出線を通すための通線穴を有する。そして、通線穴から取付台１０３の内部に配索された口出線は、さらに開口部１０３ｄを通じて、壁面２００の側に予め形成されている電源引込部に接続される。
【００２１】
カバー部１０４は、光の射出領域を含んで照明器具１００の外観を構成し、光源部１０２を保護する。カバー部１０４は、透光カバー１２０と、枠体１２１とを備える。
【００２２】
透光カバー１２０は、光源１１０から発せられた光を外部に透過させる。透光カバー１２０は、透光性の材料で構成されていれば特に限定されるものではないが、例えば、透明のポリカーボネイト製であって、内面にマット処理が施されていてもよい。
【００２３】
本実施形態では、透光カバー１２０は、正面部１２０ａと、第１側面部１２０ｂと、第２側面部１２０ｃとの３つの平板部を組み合わせた形状を有する。正面部１２０ａ、第１側面部１２０ｂ及び第２側面部１２０ｃは、照明器具１００の長手方向であるＹ方向に沿って延伸している。
【００２４】
ここで、取付台１０３に対してカバー部１０４が取り付けられる方向は、取付台１０３に対して光源部１０２が取り付けられているＸ方向と一致している。この場合、正面部１２０ａは、カバー部１０４の取付方向に対して垂直な平板部であり、光源部１０２に含まれる光源１１０とＸ方向で対向する。
【００２５】
一方、第１側面部１２０ｂと第２側面部１２０ｃとは、光源１１０を通る１つのＸＹ平面を基準として上下対称形となる平板部である。本実施形態では、第１側面部１２０ｂが上側の側面部であり、第２側面部１２０ｃが下側の側面部である。第１側面部１２０ｂのＹ方向に延伸する側の一辺は、正面部１２０ａのＹ方向に延伸する側の一辺と連続している。第１側面部１２０ｂのＹ方向に延伸する側の他辺は、取付台１０３に対してカバー部１０４が取り付けられたときに、最も取付台１０３に近接する。同様に、第２側面部１２０ｃのＹ方向に延伸する側の一辺は、正面部１２０ａのＹ方向に延伸する側の他辺と連続している。第２側面部１２０ｃのＹ方向に延伸する側の他辺は、取付台１０３に対してカバー部１０４が取り付けられたときに、最も取付台１０３に近接する。
【００２６】
また、本実施形態では、第１側面部１２０ｂ及び第２側面部１２０ｃは、水平面であるＸＹ平面に対して平行ではなく、図２に示すように、それぞれ角度θ分ＸＹ平面から傾斜している。Ｚ方向において、第１側面部１２０ｂでは、正面部１２０ａと連続する側よりも取付台１０３に近接する側の方が高い。一方、Ｚ方向において、第２側面部１２０ｃでは、正面部１２０ａと連続する側よりも取付台１０３に近接する側の方が低い。つまり、図２に示すＸＺ平面で切断した透光カバー１２０の断面形状は、Ｘ方向のプラス側からマイナス側に向かって広がるような形状となる。
【００２７】
枠体１２１は、透光カバー１２０を保持して、取付台１０３に取り付けられる。枠体１２１は、例えば、ステンレススチール製の鋼板を加工して形成される。
【００２８】
本実施形態では、枠体１２１は、第１支持枠部１３０と、第２支持枠部１３１と、第１側枠部１３２と、第２側枠部１３３との４つの枠部を備える。枠体１２１は、透光カバー１２０の形状に合わせて、透光カバー１２０の端部を支持する又は覆う形状を有する。
【００２９】
第１支持枠部１３０と第２支持枠部１３１とは、光源１１０を通る１つのＸＹ平面を基準として上下対称形となり、それぞれ、Ｙ方向に沿って延伸する枠部である。第１支持枠部１３０は、透光カバー１２０の第１側面部１２０ｂの取付台１０３に近接する側の端部を支持する。第２支持枠部１３１は、透光カバー１２０の第２側面部１２０ｃの取付台１０３に近接する側の端部を支持する。第１支持枠部１３０と第２支持枠部１３１とは互いに同一構成及び同一形状であるので、以下、一例として第１支持枠部１３０の構成について説明する。
【００３０】
図３は、図１のＩＩＩ部拡大図である。第１支持枠部１３０は、全体として、透光カバー１２０の第１側面部１２０ｂの傾斜の角度θに合わせて、ＸＹ平面に対して傾斜している板体で構成されている。ただし、第１支持枠部１３０のＹ方向に延伸する端部のうち、透光カバー１２０の第１側面部１２０ｂを支持する側の端部には、例えば折り曲げ加工により、第１枠壁１３０ａが形成されている。第１枠壁１３０ａは、例えば、第１支持枠部１３０全体の傾斜面に対して垂直である。一方、第１支持枠部１３０のＹ方向に延伸する端部のうち、取付台１０３に取り付けられる側の端部には、例えば折り曲げ加工により、第２枠壁１３０ｂが形成されている。第２枠壁１３０ｂは、取付台１０３の正面板１０３ａと平行である。第２枠壁１３０ｂのＺ方向の幅は、少なくとも、取付具１０６の第２金具１６０を収容し得る空間を確保する程度の寸法を有するものとする。この場合、第１支持枠部１３０の第２枠壁１３０ｂのほか、第２支持枠部１３１の第２枠壁や第１側枠部１３２及び第２側枠部１３３の同様の枠壁を合わせると、これらの枠壁は、中央領域の大部分を開放空間とする壁部を構成することになる。
【００３１】
また、第１支持枠部１３０は、透光カバー１２０の第１側面部１２０ｂを固定するためのカバー固定具１２２と、第１カバーパッキン１２３と、第２カバーパッキン１２４とを備える。カバー固定具１２２は、第１固定金具１４０と第２固定金具１４１との２つの金具を有し、第１固定金具１４０と第２固定金具１４１とで第１側面部１２０ｂの一部を挟み込むことで、第１側面部１２０ｂを固定する。第１固定金具１４０及び第２固定金具１４１は、それぞれ、第１支持枠部１３０の延伸方向であるＹ方向に沿って延伸している。
【００３２】
第１固定金具１４０は、第１支持枠部１３０と平行な第１平板部１４０ａと、第１平板部１４０ａに対して垂直に折り曲げられた第２平板部１４０ｂとを含む。第１平板部１４０ａは、例えば溶接により、第１支持枠部１３０の内側に固定される。第２固定金具１４１は、第１固定金具１４０の第１平板部１４０ａと平行となる第１平板部１４１ａと、第１固定金具１４０の第２平板部１４０ｂと平行となる第２平板部１４１ｂとを含む。
【００３３】
第１カバーパッキン１２３及び第２カバーパッキン１２４は、それぞれ、カバー固定具１２２の延伸方向であるＹ方向に沿って延伸する長板状の弾性体であり、例えばシリコン系のスポンジゴムで形成されていてもよい。第１カバーパッキン１２３は、第１固定金具１４０の第１平板部１４０ａと、透光カバー１２０の第１側面部１２０ｂの外面との間に設置される。第２カバーパッキン１２４は、第２固定金具１４１の第１平板部１４１ａと、第１側面部１２０ｂの内面との間に設置される。つまり、透光カバー１２０の第１側面部１２０ｂは、図３に示すように、直接的には第１カバーパッキン１２３と第２カバーパッキン１２４とに接触する。
【００３４】
カバー固定具１２２は、第１カバーパッキン１２３と第２カバーパッキン１２４とを介して、第１固定金具１４０の第１平板部１４０ａと、第２固定金具１４１の第１平板部１４１ａとで、第１側面部１２０ｂを挟み込む。そして、カバー固定具１２２では、第１側面部１２０ｂを挟み込んだ状態で、第１固定金具１４０の第２平板部１４０ｂと、第２固定金具１４１の第２平板部１４１ｂとが不図示の複数のねじを用いて締結されて固定される。これにより、第１側面部１２０ｂを第１支持枠部１３０に対して固定することができる。
【００３５】
このとき、カバー固定具１２２は、第１カバーパッキン１２３及び第２カバーパッキン１２４を介して第１側面部１２０ｂを支持することで、第１側面部１２０ｂに掛かる過剰な押圧力を分散させたり、防水機能等を発揮させたりすることができる。
【００３６】
一方、第１側枠部１３２と第２側枠部１３３とは、図１に示すように、Ｙ方向で対称形状であり、それぞれ、透光カバー１２０のＹ方向側方の開放部を覆う枠部である。
【００３７】
第１側枠部１３２は、透光カバー１２０の断面形状に合わせた形状を有する第１枠板１３２ａと、透光カバー１２０の外面の一部をそれぞれ覆う第２枠板１３２ｂ、第３枠板１３２ｃ及び不図示の第４枠板とを含む。第２枠板１３２ｂは、透光カバー１２０の正面部１２０ａの端部を覆う。第３枠板１３２ｃは、透光カバー１２０の第１側面部１２０ｂの端部を覆う。また、第４枠板は、透光カバー１２０の第２側面部１２０ｃの端部を覆う。第２枠板１３２ｂ、第３枠板１３２ｃ及び不図示の第４枠板は、それぞれ、第１支持枠部１３０等にある第１枠壁１３０ａと同等の枠壁を有する。
【００３８】
第２側枠部１３３は、透光カバー１２０の断面形状に合わせた形状を有する不図示の第１枠板と、透光カバー１２０の外面の一部をそれぞれ覆う第２枠板１３３ｂ、第３枠板１３３ｃ及び第４枠板１３３ｄとを含む。第２枠板１３３ｂは、透光カバー１２０の正面部１２０ａの端部を覆う。第３枠板１３３ｃは、透光カバー１２０の第１側面部１２０ｂの端部を覆う。また、第４枠板１３３ｄは、透光カバー１２０の第２側面部１２０ｃの端部を覆う。第２枠板１３３ｂ、第３枠板１３３ｃ及び第４枠板１３３ｄは、それぞれ、第１支持枠部１３０等にある第１枠壁１３０ａと同等の枠壁を有する。
【００３９】
なお、第１側枠部１３２及び第２側枠部１３３は、それぞれ、第１支持枠部１３０及び第２支持枠部１３１と同様に、カバー固定具１２２や第１カバーパッキン１２３等を備えることで、透光カバー１２０を固定してもよい。
【００４０】
また、ここでは、カバー固定具１２２や第１カバーパッキン１２３等が第１支持枠部１３０等の延伸方向に合わせて延伸する部材であるとしているが、例えば、第１支持枠部１３０等の延伸方向において一定の間隔で部分的に設けられるものであってもよい。
【００４１】
電源１０５は、ソケット１１１を介して光源１１０に電力を供給する。電源１０５は、取付台１０３の正面板１０３ａに固定される。
【００４２】
取付具１０６は、第１部材としての取付台１０３に、カバー部１０４、より具体的にはカバー部１０４の一部である第２部材としての枠体１２１を取り付けるための取付機構である。本実施形態では、取付具１０６は、一例として、図２に示すように、Ｚ方向の上方側の第１支持枠部１３０と下方側の第２支持枠部１３１とに設置される。また、取付具１０６の設置個数は、一例として、第１支持枠部１３０と第２支持枠部１３１とのそれぞれにおいて３つずつであるものとする。これらの複数の取付具１０６は、それぞれ同一構成及び同一形状である。そこで、以下、代表として１つの取付具１０６の構成等について図３を用いて説明する。
【００４３】
取付具１０６は、第１金具１５０と、第２金具１６０と、ねじ１７０とを備える。第１金具１５０は、取付側として位置付けられる取付台１０３に固定される金具である。第２金具１６０は、被取付側として位置付けられる枠体１２１の第１支持枠部１３０に固定される金具である。ねじ１７０は、第１金具１５０と第２金具１６０とを締結により繋ぎ合わせる締結部材である。
【００４４】
第１金具１５０は、例えばステンレススチール製の鋼板を加工することで形成され、第１板部１５１と、第１固定板部１５２とを含む。なお、第１金具１５０のＹ方向の幅は、少なくとも、ねじ穴部１５４を設けるのに不足がない程度の寸法を有する。
【００４５】
第１板部１５１は、全体として、取付台１０３にカバー部１０４が取り付けられたときに第１支持枠部１３０と平行となる平板部で構成される。第１板部１５１は、ねじ１７０を係合可能とするねじ穴部１５４を有する。ねじ穴部１５４のねじ挿入口１５４ａは、第１支持枠部１３０に対向する側の第１板部１５１の表面に設けられ、以下、この表面を開口面１５１ａという。つまり、ねじ穴部１５４に形成されているねじ穴１５４ｂは、開口面１５１ａよりも奥側に存在することになる。
【００４６】
ここで、本実施形態では、ねじ穴部１５４に形成されているねじ穴１５４ｂの径は、軸方向に沿って、開口面１５１ａに近い方から遠い方に向かって徐々に小さくなる。また、ねじ穴１５４ｂの最も小さい径は、ねじ１７０の径に適合する寸法を有する。この場合、ねじ１７０は、図３に示すようなねじ１７０の締結完了時の状態において、ねじ穴１５４ｂの最も小さい径に係合可能となる程度の長さを要する。
【００４７】
なお、ねじ穴１５４ｂは、ねじ挿入口１５４ａ全体まで、すなわち、開口面１５１ａに到達するまで形成されていなくてもよい。また、ねじ挿入口１５４ａの径は、ねじ穴１５４ｂの最も大きい径よりも若干大きく設定してもよい。
【００４８】
また、本実施形態では、第１板部１５１は、取付台１０３から遠い方の端部に、湾曲部１５３を有する。つまり、第１板部１５１は、開口面１５１ａと連続する湾曲面１５３ａを有する。湾曲面１５３ａは、図３に示すように、取付方向に沿って、枠体１２１を取り付けるときにねじ１７０の先端部１７０ｂと当接するＺ方向の下方側から、開口面１５１ａと連続するＺ方向の上方側まで徐々に高くなる形状を有する。
【００４９】
なお、上記説明したように、第１支持枠部１３０は、透光カバー１２０を固定するためのカバー固定具１２２を備える。この場合、第１板部１５１が湾曲部１５３を有するものとすると、なんら手当をしない場合には、取付台１０３に対して枠体１２１を取り付けようとしたときに、第１金具１５０がカバー固定具１２２と干渉することもあり得る。そこで、カバー固定具１２２に含まれる第１固定金具１４０に第１切り欠き部１４０ｃを、同様に、第２固定金具１４１に第２切り欠き部１４１ｃを、それぞれ設けてもよい。これにより、取付台１０３に対して枠体１２１を取り付けるときには、第１金具１５０に、第１切り欠き部１４０ｃ及び第２切り欠き部１４１ｃを非接触で通過させることで、第１金具１５０とカバー固定具１２２との干渉を回避させることができる。
【００５０】
第１固定板部１５２は、取付台１０３に固定される平板部である。本実施形態では、第１固定板部１５２は、取付台１０３の正面板１０３ａに対して、例えば溶接により固定される。つまり、第１固定板部１５２は、正面板１０３ａと平行である。
【００５１】
ここで、第１固定板部１５２は、第１支持枠部１３０側に設けられる１つの取付具１０６にそれぞれ備えられるものとしてもよい。ただし、上方の第１支持枠部１３０と下方の第２支持枠部１３１との双方に取付具１０６が用いられる場合、図２に示すように、第１支持枠部１３０側の取付具１０６と第２支持枠部１３１側の取付具１０６とで第１固定板部１５２を共通化することも可能である。この場合、第１金具１５０自体が、第１支持枠部１３０側の取付具１０６と第２支持枠部１３１側の取付具１０６とで１つの部材として存在することになる、このような構成によれば、照明器具１００全体としての部品点数の削減に寄与し得る。
【００５２】
第２金具１６０は、例えばステンレススチール製の鋼板を加工することで形成され、第２板部１６１と、第２固定板部１６２と、第３固定板部１６３とを含む。なお、第２金具１６０のＹ方向の幅は、少なくとも、貫通穴１６１ｂを設けるのに不足がない程度の寸法を有する。
【００５３】
第２板部１６１は、第１支持枠部１３０と平行となる平板部で構成される。第２板部１６１は、ねじ１７０を貫通可能とする貫通穴１６１ｂを有する。貫通穴１６１ｂは、第１金具１５０に形成されているねじ穴１５４ｂと同軸状に設けられている。第１支持枠部１３０を枠体１２１の外壁として捉えると、第１支持枠部１３０は、貫通穴１６１ｂと同軸状に、ねじ１７０の全体を挿入可能とする挿入穴１３０ｃを有する。また、本実施形態では、図３に示すように、第１支持枠部１３０と第２板部１６１との間隔Ｌ２は、ねじ１７０の頭部１７０ａの長さＬ１よりも広い。さらに、本実施形態では、第２金具１６０は、第２板部１６１における貫通穴１６１ｂからのねじ１７０の突出側に、貫通穴１６１ｂと同軸で、かつ、ねじ１７０を貫通可能とする円筒部材１８１を有する。
【００５４】
第２固定板部１６２は、第２金具１６０のＹ方向に延伸する端部のうち、例えばカバー固定具１２２を介して第１支持枠部１３０の第１枠壁１３０ａに対向する側の端部に、例えば折り曲げ加工により形成されている壁部である。第３固定板部１６３は、第２金具１６０のＹ方向に延伸する端部のうち、第１支持枠部１３０の第２枠壁１３０ｂに対向する側の端部に、例えば折り曲げ加工により形成されている壁部である。第２固定板部１６２は、例えば、第１支持枠部１３０、又は、第１支持枠部１３０に固定されているカバー固定具１２２の少なくともいずれかに、溶接等により固定されている。また、第３固定板部１６３は、第１支持枠部１３０又は第２枠壁１３０ｂの少なくともいずれかに、溶接等により固定されている。
【００５５】
ねじ１７０は、第２金具１６０にある貫通穴１６１ｂを貫通し、第１金具１５０にあるねじ穴部１５４に係合可能である。ねじ１７０としては、例えば六角ボルトを採用可能である。本実施形態では、ねじ１７０の先端部１７０ｂは、半球体形状を有する。ここで、先端部１７０ｂの形状は、厳密な半球体形状ではなく、曲面を含んだ略半球体形状であってもよい。つまり、取付具１０６は、鉛直方向であるＺ方向とは交差する方向を取付方向として取付台１０３に枠体１２１を取り付ける場合には、取付具１０６におけるねじ１７０は、取付方向とは異なる方向を軸方向とすることになる。本実施形態における取付方向は、水平方向に相当するＸ方向である。これに対して、ねじ１７０の軸方向は、水平面であるＸＹ平面に対して角度θで傾斜している第２金具１６０の第２板部１６１に対して垂直な方向となるので、取付方向とは異なる方向となる。
【００５６】
また、ねじ１７０は、取付台１０３に枠体１２１が取り付けられているときに第１板部１５１と第２板部１６１との間に位置する部分に、貫通穴１６１ｂからの脱落を抑止するストッパーリング１８０を備える。
【００５７】
次に、取付具１０６を用いた取付台１０３に対するカバー部１０４の取付作業について説明する。
【００５８】
図４及び図５は、作業者が取付台１０３に対してカバー部１０４を取り付けるときの取付具１０６の状態を時系列で示す図である。
【００５９】
図４（ａ）は、取付作業時の第１段階における取付具１０６の状態を示す図である。カバー部１０４を取付台１０３の所定の取付位置に向かわせようとした場合、特にＺ方向の上方側にある第１支持枠部１３０に設けられている取付具１０６では、ねじ１７０は、自重により、最も下がった姿勢となる。つまり、このときのねじ１７０は、頭部１７０ａが第２金具１６０の上面１６１ａと接触して吊られた姿勢となる。
【００６０】
このまま、作業者が取付台１０３の所定の取付位置にカバー部１０４の枠体１２１を近づけていくと、取付台１０３側の第１金具１５０がカバー部１０４の内部に進入する。そして、図４（ａ）に示すように、第１支持枠部１３０の第２枠壁１３０ｂが取付台１０３の正面板１０３ａに到達する前に、第１金具１５０の湾曲面１５３ａと、ねじ１７０の先端部１７０ｂとが接触する。
【００６１】
ここで、湾曲面１５３ａは、ねじ穴部１５４のねじ挿入口１５４ａが形成されている開口面１５１ａに徐々に向かうように湾曲している。そのため、作業者が引き続き枠体１２１を取付台１０３に向けて近づけるにつれて、ねじ１７０の先端部１７０ｂが湾曲面１５３ａと接触しながら変位し、図４（ａ）中の黒塗りの矢印で表記しているように、ねじ１７０全体がＺ方向上方に持ち上げられていく。
【００６２】
また、ねじ１７０の先端部１７０ｂは、半球体形状に加工されている。したがって、先端部１７０ｂは、湾曲面１５３ａ上、又は、以後の開口面１５１ａ上で移動する際に、一般的な先端形状の場合と比べて引っ掛かりづらくなる。
【００６３】
図４（ｂ）は、取付作業時の第２段階における取付具１０６の状態を示す図である。引き続き、作業者が枠体１２１を取付台１０３に向けて近づけていくと、ねじ１７０の先端部１７０ｂが第１金具１５０の開口面１５１ａ上に載る。ここで、第１支持枠部１３０には、ねじ１７０の頭部１７０ａが貫通可能な挿入穴１３０ｃが予め設けられているので、ねじ１７０と第１支持枠部１３０とが干渉することはない。
【００６４】
ここで、湾曲面１５３ａ上を移動中のねじ１７０には、先端部１７０ｂで生じる摩擦力に起因して、進行方向とは反対側に傾こうとする力が加わる。そのため、なんら対処をしない場合には、ねじ１７０が傾き過ぎて、例えば、頭部１７０ａが挿入穴１３０ｃを貫通することができずに引っ掛かることもあり得る。これに対して、本実施形態では、第２金具１６０には円筒部材１８１が設けられているので、ねじ１７０の傾きは、ねじ１７０が円筒部材１８１の内壁１８１ａ（図３参照）に当接した時点で制限される。したがって、予め頭部１７０ａが挿入穴１３０ｃを貫通することができないという事態が回避される。
【００６５】
また、上記説明したように、カバー固定具１２２に含まれる第１固定金具１４０には第１切り欠き部１４０ｃが、第２固定金具１４１には第２切り欠き部１４１ｃがそれぞれ設けられているので、第１金具１５０とカバー固定具１２２とは干渉しない。
【００６６】
図５（ａ）は、取付作業時の第３段階における取付具１０６の状態を示す図である。引き続き、作業者が枠体１２１を取付台１０３に向けて近づけていくと、いずれ、取付台１０３の正面板１０３ａと第１支持枠部１３０の第２枠壁１３０ｂとが接触する。併せて、ねじ１７０の先端部１７０ｂは、第１金具１５０のねじ挿入口１５４ａに到達し、ねじ穴１５４ｂの開口に自動的にはまる。つまり、この状態にあるねじ１７０は、図５（ａ）中の黒塗りの矢印で表記しているように、先端部１７０ｂがねじ穴１５４ｂの開口にはまった分、Ｚ方向下方に一段下がる。
【００６７】
ここで、ねじ穴１５４ｂの径は、開口面１５１ａに近い方から遠い方に向かって徐々に小さくなっている。換言すれば、開口面１５１ａに近い方のねじ穴１５４ｂの径は、ねじ１７０の径に適合する寸法よりも大きく設定されている。したがって、先端部１７０ｂがねじ穴１５４ｂに近づいてきたときに、ねじ穴１５４ｂにはまりやすい。
【００６８】
また、ねじ挿入口１５４ａの径は、ねじ穴１５４ｂの最も大きい径よりも大きく設定されているので、先端部１７０ｂがねじ穴１５４ｂに近づいてきたときに、ねじ挿入口１５４ａに落ちやすくなり、結果として、ねじ穴１５４ｂの開口に導かれやすくなる。
【００６９】
図５（ｂ）は、取付作業時の最終段階における取付具１０６の状態を示す図である。そして、作業者は、例えば、ねじ１７０が六角ボルトである場合には、第１支持枠部１３０に形成されている挿入穴１３０ｃから締結工具３００としての六角レンチを挿入して、ねじ１７０を締結する。これにより、枠体１２１すなわちカバー部１０４は、取付台１０３に対して取り付けられる。
【００７０】
なお、Ｚ方向の下方側にある第２支持枠部１３１に設けられている取付具１０６は、上方側の第１支持枠部１３０に設けられている取付具１０６と同一構成である。そのため、上記のような取付作業時には、ねじ１７０は、自重により、第２金具１６０の貫通穴１６１ｂから抜けようとする。しかし、本実施形態では、ねじ１７０にはストッパーリング１８０が設けられているので、ストッパーリング１８０が第２金具１６０に引っ掛かることにより、ねじ１７０が取付具１０６から脱落することはない。また、ねじ１７０がストッパーリング１８０を介して第２金具１６０に支持されているとき、ねじ１７０の先端部１７０ｂも下がった状態にある。したがって、上記のような取付作業時に、取付台１０３側の第１金具１５０と、第２支持枠部１３１側のカバー固定具１２２とが干渉することもない。
【００７１】
このように、第２支持枠部１３１に設けられている取付具１０６も、第１支持枠部１３０に設けられている取付具１０６と同一構成とすれば、カバー部１０４の上下が逆転しても取付作業自体には変化が生じないため、取付作業の容易性の向上に有利となり得る。なお、もしカバー部１０４の上下方向が予め規定されているならば、第２支持枠部１３１に設けられる取付具の構成を、本実施形態に係る取付具１０６の構成よりも簡略化させてもよい。
【００７２】
次に、取付具１０６及びそれを用いた照明器具１００の効果について説明する。
【００７３】
まず、第１の態様に係る取付具１０６は、鉛直方向とは交差する方向を取付方向として第１部材に第２部材を取り付ける。取付具１０６は、第１部材に固定され、ねじ穴部１５４を有する第１板部１５１を含む第１金具１５０と、第２部材に固定され、貫通穴１６１ｂを有する第２板部１６１を含む第２金具１６０とを備える。また、取付具１０６は、取付方向とは異なる方向を軸方向として、貫通穴１６１ｂを貫通し、ねじ穴部１５４に係合可能なねじ１７０を備える。ねじ１７０の先端部１７０ｂは、曲面を含む。第１板部１５１は、ねじ穴部１５４のねじ挿入口１５４ａが設けられている開口面１５１ａと、開口面１５１ａと連続する湾曲面１５３ａとを有する。湾曲面１５３ａは、取付方向に沿って、第２部材を取り付けるときにねじ１７０の先端部１７０ｂと当接する鉛直方向の下方側から、開口面１５１ａと連続する鉛直方向の上方側まで徐々に高くなる形状を有する。
【００７４】
ここで、第１部材は、例えば、本実施形態における照明器具１００の取付台１０３である。第２部材は、例えば、照明器具１００の枠体１２１である。
【００７５】
このような取付具１０６によれば、特に枠体１２１の上方にねじ１７０が支持され、取付台１０３側の第１金具１５０が取付方向に沿って突出していても、取付作業時には、ねじ１７０は、湾曲面１５３ａに誘導されて変位し、第１金具１５０との干渉を回避する。したがって、取付作業時には、作業者は、単に取付台１０３の所定の取付位置に枠体１２１を向かわせて、最終的にねじ１７０を締結させるだけでよい。つまり、作業者は、従来のように、例えば、枠体の上側のねじを上方に一旦持ち上げながら枠体を取付台に嵌め込むというような困難な作業を行う必要がなくなる。特に、本実施形態の例のように、上側のねじ１７０が複数ある場合などには、特に有効となり得る。
【００７６】
また、取付具１０６によれば、ねじ１７０の先端部１７０ｂは、曲面を含むので、特に湾曲面１５３ａ上で移動する際には、一般的な先端形状の場合と比べて引っ掛かりづらくなる。したがって、取付作業時には、ねじ１７０は、より滑らかに変位するので、取付作業の容易性をより向上させることができる。
【００７７】
このように、本態様によれば、取付作業の容易性を向上させることが可能な取付具１０６を提供することができる。
【００７８】
また、第１の態様に係る取付具１０６では、ねじ穴部１５４に形成されているねじ穴１５４ｂの径は、開口面１５１ａに近い方から遠い方に向かって徐々に小さくなってもよい。ねじ穴１５４ｂの最も小さい径は、ねじ１７０の径に適合するものであってもよい。
【００７９】
このような取付具１０６によれば、ねじ１７０の先端部１７０ｂがねじ穴１５４ｂに近づいてきたときに、ねじ穴１５４ｂにはまりやすくなる。取付作業時に先端部１７０ｂが自然にねじ穴１５４ｂにはまっていれば、その後、作業者は、締結工具３００を用いて単にねじ１７０の締結を行うだけでよくなる。したがって、取付作業の容易性をより向上させることができる。
【００８０】
一方、第１の態様に係る他の実施形態として、図６に示すように、第１金具１５０において、ねじ穴部１５４に代えて、ねじ１７０に適合する一般的なナット１９０を設置することも可能である。この場合、第１金具１５０には、ねじ１７０を貫通可能とする貫通穴１５４ｃが予め設けられており、例えば溶接により、ナット１９０が貫通穴１５４ｃと同軸状に開口面１５１ａの反対側に設置される。このような構成によれば、上記説明したねじ穴部１５４を設ける場合よりも、ねじ１７０の先端部１７０ｂがナット１９０にはまりにくくなることも考えられる。しかし、ねじ１７０の先端部１７０ｂが曲面を含むようにしておくことで、ある程度のはまりやすさは維持される。一方で、取付具１０６がこのようなナット１９０を採用することは、第１金具１５０の製作の容易性を向上させる点で、有利となり得る。
【００８１】
また、第２の態様に係る取付具１０６は、鉛直方向とは交差する方向を取付方向として第１部材に第２部材を取り付ける。取付具１０６は、第１部材に固定され、ねじ穴部１５４を有する第１板部１５１を含む第１金具１５０と、第２部材に固定され、貫通穴１６１ｂを有する第２板部１６１を含む第２金具１６０とを備える。また、取付具１０６は、取付方向とは異なる方向を軸方向として、貫通穴１６１ｂを貫通し、ねじ穴部１５４に係合可能なねじ１７０を備える。第１板部１５１は、ねじ穴部１５４のねじ挿入口１５４ａが設けられている開口面１５１ａと、開口面１５１ａと連続する湾曲面１５３ａとを有する。湾曲面１５３ａは、取付方向に沿って、第２部材を取り付けるときにねじ１７０の先端部１７０ｂと当接する鉛直方向の下方側から、開口面１５１ａと連続する鉛直方向の上方側まで徐々に高くなる形状を有する。ねじ穴部１５４に形成されているねじ穴１５４ｂの径は、開口面１５１ａに近い方から遠い方に向かって徐々に小さくなる。ねじ穴１５４ｂの最も小さい径は、ねじ１７０の径に適合する。
【００８２】
このような取付具１０６によれば、例えば、ねじ１７０の先端部１７０ｂの形状が一般的なねじの先端部の形状であっても、ねじ穴１５４ｂの形状を上記のような形状とすることで、ねじ穴１５４ｂへのある程度のはまりやすさが維持される。一方で、取付具１０６がねじ１７０として一般的な形状のものを採用することは、ねじ１７０の先端部１７０ｂの加工工程を省略することができることから、ねじ１７０の製作の容易性を向上させる点で、有利となり得る。
【００８３】
また、第２の態様に係る取付具１０６では、ねじ１７０の先端部１７０ｂは、曲面を含むものとしてもよい。
【００８４】
このような取付具１０６によれば、結果として、第１の態様と同等の効果を奏し得る。
【００８５】
また、上記の各態様に係る取付具１０６では、第２金具１６０は、貫通穴１６１ｂからのねじ１７０の突出側に、貫通穴１６１ｂと同軸で、かつ、ねじ１７０を貫通可能とする円筒部材１８１を有してもよい。
【００８６】
このような取付具１０６によれば、取付作業中のねじ１７０の傾きが、ねじ１７０が円筒部材１８１の内壁１８１ａに当接した時点で制限されるので、頭部１７０ａが挿入穴１３０ｃを貫通することができないという事態を予め回避させることができる。
【００８７】
また、上記の各態様に係る取付具１０６では、第２部材の外壁は、貫通穴１６１ｂと同軸状に、ねじ１７０の全体を挿入可能とする挿入穴１３０ｃを有してもよい。第２部材の外壁と第２板部１６１との間隔は、ねじ１７０の頭部１７０ａの長さよりも広い。
【００８８】
ここで、第２部材の外壁は、例えば、本実施形態における照明器具１００の第１支持枠部１３０である。
【００８９】
このような取付具１０６によれば、まず、取付後の状態では、図１に示すように、各々の取付具１０６に含まれるねじ１７０の頭部１７０ａは、第１支持枠部１３０の挿入穴１３０ｃに隠れ、外部から視認しづらくなる。したがって、照明器具１００の外観上、有利となり得る。また、従来、このように取付後にねじの頭部が枠体の挿入穴に隠れる照明器具では特に、作業者が枠体の上側のねじを上方に一旦持ち上げながら枠体を取付台に嵌め込む作業が困難を極めた。これに対して、取付具１０６によれば、ねじ１７０の頭部１７０ａは、取付作業の進行に合わせて、自然と挿入穴１３０ｃから露出し、最終的に再度自然と挿入穴１３０ｃに隠れるので、外観上の優位性と、取付作業の容易性とを両立させることができる。
【００９０】
また、上記の各態様に係る取付具１０６では、ねじ１７０は、第１部材に第２部材が取り付けられているときに第１板部１５１と第２板部１６１との間に位置する部分に、貫通穴１６１ｂからの脱落を抑止するストッパーリング１８０を備えてもよい。
【００９１】
このような取付具１０６によれば、取付前のカバー部１０４において、すでにねじ１７０が取り付けられた状態にある。したがって、作業者は、例えば、取付作業時にカバー部１０４を取付台１０３の取付位置に一旦位置させた後に、１つ１つの取付具にねじ１７０を外部から差し込んで締結するという煩わしい作業を行う必要がない。
【００９２】
また、第１支持枠部１３０と第２支持枠部１３１とに設けられているそれぞれの取付具１０６が互いに同一構成である場合、第２支持枠部１３１側の取付具１０６のねじ１７０は、第１支持枠部１３０側の取付具１０６のねじ１７０とは姿勢が逆になる。この場合、ねじ１７０のそれぞれがストッパーリング１８０を備えていることで、取付作業時に、特に第２支持枠部１３１側の取付具１０６からのねじ１７０の脱落が抑止される。
【００９３】
さらに、本実施形態に係る照明器具１００は、光源１１０と、光源１１０を支持する取付台１０３と、光源１１０から発せられた光を外部に透過させる透光カバー１２０と、透光カバー１２０を保持する枠体１２１とを備える。そして、照明器具１００は、取付台１０３である第１部材に、枠体１２１である第２部材を取り付ける上記態様の取付具１０６を備える。
【００９４】
このような照明器具１００によれば、取付具１０６を採用することで、取付台１０３に対する枠体１２１の取付作業の容易性が向上するので、結果として、照明器具１００全体の組み立て作業の容易性を向上させることができる。
【００９５】
なお、上記説明では、カバー部１０４に含まれる透光カバー１２０の形状に関して、第１側面部１２０ｂ及び第２側面部１２０ｃは、水平面であるＸＹ平面に対してそれぞれ角度θ分ＸＹ平面から傾斜しているものとした。これに対して、本開示の照明器具１００では、透光カバー１２０の形状は、これに限定されるものではなく、例えば、第１側面部１２０ｂ及び第２側面部１２０ｃは、水平面であるＸＹ平面に対して平行であってもよい。この場合、本実施形態における取付方向は、水平方向に相当するＸ方向である。これに対して、ねじ１７０の軸方向は、鉛直方向に相当するＺ方向となり、取付方向とは異なる方向となる。併せて、取付具１０６における第１金具１５０の第１板部１５１及び第２金具１６０の第２板部１６１も、ＸＹ平面と平行となる。このような構成によっても、上記と同様の効果を奏し得る。
【００９６】
以上、好ましい実施形態について説明したが、本実施形態は、これ限定されず、その要旨の範囲内で種々の変形及び変更が可能である。
【符号の説明】
【００９７】
１００    照明器具
１０３    取付台
１０６    取付具
１１０    光源
１２０    透光カバー
１２１    枠体
１５０    第１金具
１５１    第１板部
１５１ａ  開口面
１５３ａ  湾曲面
１５４    ねじ穴部
１５４ａ  ねじ挿入口
１６０    第２金具
１６１    第２板部
１６１ｂ  貫通穴
１７０    ねじ
１７０ｂ  先端部
１８０    ストッパーリング
１８１    円筒部材
【図１】
2020187914.tif 000003
【図２】
2020187914.tif 000004
【図３】
2020187914.tif 000005
【図４】
2020187914.tif 000006
【図５】
2020187914.tif 000007
【図６】
2020187914.tif 000008